(57)【要約】【課題】リフトヒンジ機構を備えた扉装置において、開放限界位置を規定するとともに、同扉を所定角度開放した状態で維持可能とする。【解決手段】リフトヒンジ機構を備えた扉３の縁部には、長穴７０を備えた板部材３０の枢支端部３２Ａが回動自在に枢支される一方、開口２の縁部には、板部材３０の長穴７０に摺動自在に係合して扉３の開閉に伴って長穴７０内を相対移動する掛止体４０が立設される。板部材３０には、その回動端部３３Ａ側において、掛止体４０を当接させて扉３の開放を規制するストッパ部３５が配される一方、板部材３０の枢支端部３２Ａと回動端部３３Ａとの間には段差部３１が形成されて、枢支端部３２Ａと回動端部３３Ａとが異なる高さとされている。【選択図】図２
2017040462.tif 000002
【特許請求の範囲】
【請求項１】
筐体に形成された開口を開閉するための扉と、
前記開口の上下に配設されて、前記扉を回動自在に支持する一対の支持部材と、
前記扉または前記開口のいずれか一方であって、その上縁または下縁の少なくとも一方に長手方向一端の枢支端部が回動自在に枢支されるとともに、同長手方向に沿って延びる長穴が形成された長手状の板部材と、
前記扉または前記開口のうち前記板部材が枢支されたものとは異なるものの縁部に立設され、前記板部材の長穴に摺動自在に係合して、前記扉の開閉に伴って前記長穴内を相対移動する掛止体と、を備え、
前記板部材の長穴には、その長手方向における前記枢支端部が配される側とは反対の反対端部側において、前記扉が所定量開放した場合に前記掛止体の当該長穴内の相対移動を規制することにより、前記扉の開放を規制するストッパ部が配設された扉装置であって、
前記一対の支持部材のうち前記開口の下側に配設される支持部材が、前記扉の開閉に伴って前記扉を昇降させるリフトヒンジを備える一方、
前記板部材において、前記枢支端部と前記反対端部との間には段差部が形成されて、前記枢支端部と前記反対端部とが異なった高さとされていることを特徴とする扉装置。
【請求項２】
前記開口の縁部に配される前記板部材または前記掛止体が、前記一対の支持部材の何れか一方の支持部材に枢支または立設され、該一方の支持部材が、前記筐体において前記扉の上縁または下縁から上方または下方にシフトした位置に取付けられるとともに、
前記掛止体が、前記板部材の板厚より大きな突出長をもって立設され前記板部材の長穴に挿通される掛止脚部と、前記長穴からの抜け止めを担う掛止頭部とを備え、前記板部材と前記掛止体とが、前記板部材が前記掛止脚部に対して相対的に上下動可能な態様で係合しており、
前記掛止体が、前記板部材の長穴において、前記段差部よりも前記反対端部寄りの部分を摺動するものとされている請求項１に記載の扉装置。
【請求項３】
前記リフトヒンジが、
前記扉の下縁に配される軸受孔と、
前記開口の下縁部に立設され、前記軸受孔に挿通されることで前記扉を縦軸周りに回動可能に支持するヒンジピンと、
前記ヒンジピンの周りと前記軸受孔の孔縁とに配設され、対向面に互いにかみ合う凹凸状のカム面が形成された一対のカラーと、を備えるとともに、
前記カム面の作用により、前記扉を開扉時に上昇させることで、閉扉方向の回動力を助勢するようにしたものである一方、
前記板部材の前記段差部が、前記板部材が前記扉に枢支される場合には前記枢支端部の方が前記反対端部よりも高い位置に配されるように形成され、前記板部材が前記開口に枢支される場合には前記反対端部の方が前記枢支端部よりも高い位置に配されるように形成されていることを特徴とする請求項１または請求項２に記載の扉装置。
【請求項４】
前記板部材の長穴における前記反対端部寄りの内側面には、前記掛止体の通過を規制可能でかつ該板部材の弾性変形により前記掛止体の通過を許容し得る隆起部が突設され、
前記長穴における前記枢支端部側の端部が、該長穴の他の部分における幅よりも大きな直径を有する円弧状に形成されていることを特徴とする請求項１ないし請求項３のいずれか一項に記載の扉装置。
【請求項５】
前記長穴において、前記隆起部が、内側面の複数箇所に設けられていることを特徴とする請求項４に記載の扉装置。
【請求項６】
前記板部材の前記反対端部のうち、前記ストッパ部が配設された箇所において、前記長穴の周縁に沿ったリブが設けられていることを特徴とする請求項１ないし請求項５のいずれか一項に記載の扉装置。
【発明の詳細な説明】
【技術分野】
【０００１】
本明細書によって開示される技術は、筐体に形成された開口に取り付けられる扉装置に関する。
【背景技術】
【０００２】
従来、筐体に形成された開口に取付けられる扉装置に係る第１の技術として、例えば特許文献１には、扉の開放限界位置を規定する板部材を備えつつ扉を支持する構造が開示されている。一方、扉装置に係る第２の技術として、例えば特許文献２には、扉の開閉に伴って扉を昇降させて閉扉動作を助勢する、いわゆるリフトヒンジ機構を備えた扉装置が開示されている。
【先行技術文献】
【特許文献】
【０００３】
【特許文献１】特開平１０−３１８６６３号公報
【特許文献２】特開平１１−２５７８３７号公報
【発明の概要】
【発明が解決しようとする課題】
【０００４】
上記のような、第１の技術に係る板部材を備えて扉の開放限界位置を規定する扉の支持構造を、第２の技術に係る閉扉動作を助勢するリフトヒンジ機構を備えた扉装置に適用しようとしても、開口に対する扉の上昇や下降が、扉と開口の双方に係止された板部材によって規制されるため、扉の開閉ができず、使用することができなかった。
【０００５】
本明細書は、上記問題を解決し、リフトヒンジ機構を備えた扉の開放限界位置を規定するとともに、同扉を所定角度開放した状態で維持可能な扉装置を開示する。
【課題を解決するための手段】
【０００６】
本明細書によって開示される扉装置は、筐体に形成された開口を開閉するための扉と、前記開口の上下に配設されて、前記扉を回動自在に支持する一対の支持部材と、前記扉または前記開口のいずれか一方であって、その上縁または下縁の少なくとも一方に長手方向一端の枢支端部が回動自在に枢支されるとともに、同長手方向に沿って延びる長穴が形成された長手状の板部材と、前記扉または前記開口のうち前記板部材が枢支されたものとは異なるものの縁部に立設され、前記板部材の長穴に摺動自在に係合して、前記扉の開閉に伴って前記長穴内を相対移動する掛止体と、を備え、前記板部材の長穴には、その長手方向における前記枢支端部が配される側とは反対の反対端部側において、前記扉が所定量開放した場合に前記掛止体の当該長穴内の相対移動を規制することにより、前記扉の開放を規制するストッパ部が配設された扉装置であって、前記一対の支持部材のうち前記開口の下側に配設される支持部材が、前記扉の開閉に伴って前記扉を昇降させるリフトヒンジを備える一方、前記板部材において、前記枢支端部と前記反対端部との間には段差部が形成されて、前記枢支端部と前記反対端部とが異なった高さとされていることを特徴とする。
【０００７】
本明細書によって開示される技術によれば、板部材に段差を設けたことで、扉の上下動に伴い、板部材が傾くこと等によって掛止体と板部材との係合が外れたり、互いに干渉したりすることを回避できる。この結果、開放時に高さ位置が変わるリフトヒンジ機構を備えた扉においても、開放限界位置を規定することが可能となる。
【０００８】
本明細書によって開示される扉装置は、前記開口の縁部に配される前記板部材または前記掛止体が、前記一対の支持部材の何れか一方の支持部材に枢支または立設され、該一方の支持部材が、前記筐体において前記扉の上縁または下縁から上方または下方にシフトした位置に取付けられるとともに、前記掛止体が、前記板部材の板厚より大きな突出長をもって立設され前記板部材の長穴に挿通される掛止脚部と、前記長穴からの抜け止めを担う掛止頭部とを備え、前記板部材と前記掛止体とが、前記板部材が前記掛止脚部に対して相対的に上下動可能な態様で係合しており、前記掛止体が、前記板部材の長穴において、前記段差部よりも前記反対端部寄りの部分を摺動する構成としてもよい。
【０００９】
このような構成によれば、扉の上下縁から鉛直方向にシフトした位置に設けられる一方の支持部材に、板部材が枢支され、或いは掛止体が立設されることにより、段差部を形成した板部材の両端部を、扉の縁部と支持部材とに沿わせた形で配することができる。そして、掛止体の掛止脚部が板部材の板厚よりも大きな突出長をもって板部材の長穴に挿通されるため、閉扉状態において板部材を掛止脚部の基端部に係止させると、板部材と掛止頭部との間に、板部材を上下動可能な隙間が確保される。また、掛止体が掛止頭部を備えることにより、板部材が掛止体から抜け止めされるとともに、前記板部材が前記掛止脚部の周囲を相対的に上下動可能に係合されていることにより、扉の上下動に合わせて両者が相対的に上下動し得るものとなる。
【００１０】
上記について詳しく説明すると、以下のようである。例えば、掛止体が筐体の開口下縁に配された下部支持部材から立設される場合、閉扉状態において板部材を下部支持部材に沿わせるように掛止脚部に係止させれば、板部材の上面と掛止頭部との間に一定の隙間が確保される。板部材と掛止体とは、掛止脚部の周囲を板部材が相対的に上下動可能な態様で係合されているため、開扉に伴ってリフトヒンジの作用により扉が上昇すると、板部材が、掛止脚部の周囲を水平方向に移動するとともに、掛止脚部の上方に移動し、扉の上昇が許容される。逆に、掛止体が扉の下縁に立設される場合、閉扉状態において板部材を扉の下縁に沿わせるように掛止脚部に係止させれば、板部材の下面と係止頭部との間に隙間が確保される。よって、開扉に伴ってリフトヒンジの作用により扉が上昇すると、掛止体が、板部材の長穴を水平方向に移動するとともに、板部材に対して上方に移動し、扉の上昇が許容される。
【００１１】
さらに、掛止体が、段差部を摺動することがなく平板状に形成された部分のみを摺動する構成とすれば、掛止頭部に板部材が当接する虞がなく、掛止体をひっかかりなく摺動させることができ、開扉もスムーズに行うことができる。また、段差部により形成される枢支端部と反対端部との高さの相違は、リフトヒンジの作用により扉が上昇する最大高さよりも大きいものとすれば、該扉の上昇に伴って掛止部に対して板部材が干渉する不具合が生じにくく、開閉動作をスムーズに行うことが可能となる。
【００１２】
また、本明細書によって開示される扉装置は、前記リフトヒンジが、前記扉の下縁に配される軸受孔と、前記開口の下縁部に立設され、前記軸受孔に挿通されることで前記扉を縦軸周りに回動可能に支持するヒンジピンと、前記ヒンジピンの周りと前記軸受孔の孔縁とに配設され、対向面に互いにかみ合う凹凸状のカム面が形成された一対のカラーと、を備えるとともに、前記カム面の作用により、前記扉を開扉時に上昇させることで、閉扉方向の回動力を助勢するようにしたものである一方、前記板部材の前記段差部が、前記板部材が前記扉に枢支される場合には前記枢支端部の方が前記反対端部よりも高い位置に配されるように形成され、前記板部材が前記開口に枢支される場合には前記反対端部の方が前記枢支端部よりも高い位置に配されるように形成されているものとすることができる。
【００１３】
このような構成によれば、閉扉方向の回動力を助勢するようにしたリフトヒンジ機構を備えた扉装置において、扉の上下動に合わせて板部材を上下させることができ、スムーズな扉の開閉と、容易で確実な閉扉動作が実現できる。
【００１４】
また、本明細書によって開示される扉装置において、前記板部材の長穴における前記反対端部寄りの内側面には、前記掛止体の通過を規制可能でかつ該板部材の弾性変形により前記掛止体の通過を許容し得る隆起部が突設され、前記長穴における前記枢支端部側の端部が、該長穴の他の部分における幅よりも大きな直径を有する円弧状に形成されているものとすることができる。
【００１５】
掛止体が板部材長穴の隆起部を通過する際には、板部材の弾性変形による応力が長穴の枢支端部側に集中する。そこで、上記のような構成によれば、円弧状に広げたことで応力集中が生じにくく、板部材の変形が防止される。また一方で、掛止体が隆起部を通過し易くなり、扉開閉がスムーズになって、掛止体が隆起部間を通過する際に発生する音も軽減される。
【００１６】
また、本明細書によって開示される扉装置において、長穴における内側面の複数箇所に、隆起部が設けられていてもよい。このような構成によれば、複数の角度に扉を開けた状態で維持できる。
【００１７】
また、本明細書によって開示される扉装置において、前記ストッパ部が配設された箇所において、前記長穴の周縁に沿ったリブが設けられていてもよい。掛止体が、板部材の長穴を相対移動して隆起部を通過した後、ストッパ部で規制されると、板部材のストッパ部全体に大きな応力がかかる。そこで、上記のような構成によれば、該当部分をリブにて補強したことにより、板部材の強度が向上し、変形が防止される。リブは、プレス成型により形成できるため、コストアップを招くこともない。
【発明の効果】
【００１８】
本明細書によって開示される技術によれば、リフトヒンジ機構を備えた扉の開放限界位置を規定するとともに、同扉を所定角度開放した状態で維持可能な扉装置を得ることができる。
【図面の簡単な説明】
【００１９】
【図１】本発明に係る扉装置を備えた収納庫の一実施形態を示す正面図
【図２】図１の扉装置における扉の支持構造を示す分解斜視図
【図３】下部支持部材へのリフトヒンジの一部および板部材の配設状態を示す斜視図
【図４】板部材の斜視図
【図５】板部材の平面図
【図６】板部材の正面図
【図７】閉扉時の下部支持構造の状態を示す平面図
【図８】閉扉時の下部支持構造の状態を示す正面図
【図９】開扉時の下部支持構造の状態を示す平面図
【図１０】開扉時の下部支持構造の状態を示す正面図
【図１１】その他の実施形態に係る板部材の平面図
【図１２】ピン側カラーの取付構造を示す分解斜視図
【図１３】孔側カラーを下面から見た斜視図
【図１４Ａ】閉扉時のカム面の係合状態を示す展開断面図
【図１４Ｂ】扉開閉動作途中のカム面の係合状態を示す展開断面図
【図１４Ｃ】開扉時のカム面の係合状態を示す展開断面図
【発明を実施するための形態】
【００２０】
以下、本発明に係る扉装置を備えた収納庫の一実施形態を、図１から図１０に基づいて説明する。本実施形態の収納庫１００は、図１に示すように、断熱箱体からなる筐体１の前面に形成された開口２に、観音開き式に扉３が取り付けられた構成を有する冷蔵庫であり、底面の四隅に設けられた脚によって支持され、内部が貯蔵室とされている。
【００２１】
一方、冷蔵庫本体の上面には機械室が設けられ、その中に、圧縮機、凝縮器等からなる図示しない冷凍ユニットが設置されて、貯蔵室の天井部等に配された図示しない冷却器と冷媒配管で接続され、周知の冷凍サイクルが構成されている。冷凍ユニットの制御運転により、貯蔵室内が略一定の冷却温度に維持されるとともに、扉３を開閉しつつ、開口２から貯蔵室内に貯蔵物が出し入れされるようになっている。
【００２２】
なお、以下では、図１における左側を左（右側を右）、紙面手前側を前（奥側を奥または後）とする。また、回動軸が右側縁に配される扉と左側縁に配される扉とは、左右反転させた同様の構造によって支持されるため、以下では、主として右側縁に回動軸が設けられた右側の扉３について説明する。
【００２３】
扉３は、図２に示すように、開口２の上下に配設される上部支持部材１０および下部支持部材２０に立設されたヒンジピン１５、２５を、扉３の上下縁のそれぞれに設けられた軸受孔に回転自由に挿通させることにより、図２のＡ１を回動軸として、筐体１の開口２の前面に揺動開閉可能に支持される。上部支持部材１０は鋼鉄製であって、図２に示すように、鉛直方向の板面を備えた取付部１０Ａの下縁に、水平方向の板面を備えた支持部１０Ｂが直角曲げして形成されている。取付部１０Ａの両側部には、取付ネジ１１の挿通孔１２が各１個ずつ形成されており、筐体１前面において開口２よりも上方に形成されたネジ孔１３と挿通孔１２とを整合させつつ、取付ネジ１１を取り付けることによって、上部支持部材１０が筐体１に固着される。上部支持部材１０は、支持部１０Ｂの下面が、筐体１の開口２の上縁よりも少し上方にシフトした位置に、水平をなすように取り付けられる。支持部１０Ｂには、図示しない取付孔が開口されており、この取付孔に、上ヒンジピン１５が下向きに嵌着されている。上ヒンジピン１５の軸Ａ１は、扉３の厚み方向において前寄りで、開口２の縦縁よりも僅かに外側に位置するように設けられている。
【００２４】
一方、扉３の上縁には、軸受孔５が形成されている。軸受孔５は、扉３の上縁において、軸Ａ１上に設けられており、この軸受孔５に、前述の上ヒンジピン１５が嵌入されることで、扉３が、軸Ａ１周りに回動自在に支持される。
【００２５】
次に、リフトヒンジ機構を備えた扉３下部の支持構造について、説明する。
図２に示されるように、下部支持部材２０は、上部支持部材１０を上下反転させたものとほぼ同様の部材であって、取付部２０Ａの上縁に支持部２０Ｂが形成され、取付部２０Ａの両側部に計２個の挿通孔２２が形成されている。挿通孔２２には、筐体１前面において開口２よりも下方に形成されたネジ孔２３と整合させつつ、取付ネジ２１が取り付けられて、下部支持部材２０が筐体１に固着される。下部支持部材２０は、後述するように、支持部２０Ｂの上面が、筐体１の開口２の下縁、ひいては扉３の下縁よりも所定量だけ下方にシフトした位置に、水平をなすように取り付けられる。また、下部支持部材２０の支持部２０Ｂの軸Ａ１と整合する位置には、図示しない取付孔が形成され、下ヒンジピン２５が上向きに嵌着される。
【００２６】
図３にも示すように、下ヒンジピン２５の回りには、ピン側カラー５０が配設される。ピン側カラー５０は合成樹脂製の部材であって、図１２に示すように、下ヒンジピン２５の周囲に嵌着される前寄りの部分には、平面環形をなすカム面５５が配され、カム面５５の下側から後方に向けて延出する基板部が次第に先細りとなる略三角形状をなすように形成されている。カム面５５の中心には、下ヒンジピン２５を若干のクリアランスをもって挿通する挿通孔５６が開口されている。カム面５５には、３つの凸部５２Ａ、５２Ｂ、５２Ｃが等角度間隔で形成され、各凸部５２の両側には、下り勾配をなす傾斜部５３が形成され、それぞれ凹部５４Ａ、５４Ｂ、５４Ｃを挟んで連なっている。ピン側カラー５０は、挿通孔５６に下ヒンジピン２５を挿通させ、下ヒンジピン２５の後方に形成された嵌込み孔２９に、基板部の下面に形成された図示しない廻止め突起を嵌め込むことで、下部支持部材２０の上面に配設される。カム面５５は下部支持部材２０に配設された状態において、一つの凸部５２Ｂの中心が挿通孔５６の前中心に位置し、カム面５５の中心線に対して左右対称をなすように設定されている。
【００２７】
一方、扉３の下縁には、前後方向を長径とする楕円形の嵌合孔７が設けられており、この嵌合孔７に孔側カラー６０が装着されている。この孔側カラー６０は、合成樹脂材によって平面長円形のブロック状に形成された部材であって、図１３に示すように、表面の周縁にフランジ６１が形成されている。この孔側カラー６０の下面において軸Ａ１と整合する位置には、前述の下ヒンジピン２５を回転自由に挿通可能な行止り状の軸受孔６６が形成されている。孔側カラー６０の軸受孔６６の回りには、凸部６２、傾斜部６３、凹部６４が周方向に繰り返し形成されて、前述のカム面６５とかみ合うような平面環形のカム面６５が設けられている。但し、カム面６５では、前述のカム面５５とは異なり、一つの凹部６４Ｂの中心が軸受孔６６の前中心に位置する設定となっている。孔側カラー６０は、軸受孔６６を下方に開口させた姿勢で嵌合孔７に挿入され、フランジ６１が扉３の下面に当たるまで圧入されて固定される。
【００２８】
このようなリフトヒンジ機構では、ピン側カラー５０に対して孔側カラー６０が相対的に回転することによって、扉３が昇降しつつ開閉されるようになっている。例えば、閉じられた状態の扉３を開くと、孔側カラー６０のカム面６５は、ピン側カラー５０のカム面５５の上で、上から見た反時計回り方向に回転する。すなわち、両カム面の係合状態を展開して模式的に示した図のうち、扉３が閉じられ、両カム面の凸部と凹部とが互いにかみ合っている図１４Ａの状態から、上側のカム面６５が同図の矢線方向に移動し、図１４Ｂの状態を経て、例えば下側の凹部５４Ｂとかみ合っていた上側の凸部６２Ｂが、下側の傾斜部５３から凸部５２Ａの上に乗り上げて、図１４Ｃに示すように、扉３が上昇しつつ開放される。反対に、開いている扉３を閉じると、孔側カラー６０のカム面６５は、ピン側カラー５０のカム面５５の上で、上から見た時計回り方向、すなわち、開扉時とは逆の方向に移動する。すなわち、両カム面の凸部同士が係合して上昇位置で開放されている図１４Ｃの状態から、上側のカム面が同図の破線矢印方向に移動し、図１４Ｂの状態を経て、例えば上側の凸部６２Ｂが下側の傾斜部５３から凹部５４Ｂ側に滑り落ち、扉３がカム面に倣って下降して、図１４Ａの状態に落ち着く。このように、扉３に対してリフトヒンジ機構が閉扉方向の回動力を付与することで、扉３の閉扉動作が助勢され、容易かつ確実に扉が閉じられるようにされている。
【００２９】
次に、扉３の上下動を伴う開閉を許容しつつ、開放限界位置を規定するための機構について、説明する。図２に示すように、本実施形態において、扉３の開放限界位置を規定するための機構は、扉３の下部のみに備えられている。扉３の下縁において前述の孔側カラー６０が装着されるよりも内側寄りの位置には、図示しないピン孔が形成されており、このピン孔に、後述する板部材３０の一端（枢支端部３２Ａ）を回動自在に枢支する枢支ピン３９が下方から挿通され、裏側からナット３８を嵌め付けることにより、板部材３０が扉３の下縁に取付けられる。
【００３０】
一方、下部支持部材２０の支持部２０Ｂにおける内側寄りの位置には、孔２６が形成されており、この孔２６に掛止体４０が嵌着される。掛止体４０は、円筒形の掛止脚部４０Ａの上部に、後述する板部材３０の長穴７０の幅よりも大きな直径を有する円板状の掛止頭部４０Ｂが設けられた形状である。掛止脚部４０Ａの先端部を、後述する板部材３０の長穴７０、下部支持部材２０の孔２６の順に上方から挿通させ、裏側からナット４１を嵌め付けることで、掛止頭部４０Ｂと下部支持部材２０との間に板部材３０を保持しつつ、掛止体４０が支持部２０Ｂの上面に固着される。なお、掛止体４０の掛止脚部４０Ａは、後述するように、下部支持部材２０に固着された状態において、支持部２０Ｂの上面と掛止頭部４０Ｂの下面との間の距離が、板部材３０の板厚よりも所定長だけ長くなるように形成されている。このような構成により、掛止体４０は、板部材３０の長穴７０に対して摺動自在に掛止されている。
【００３１】
次に、板部材３０について、図４ないし図６を参照しつつ説明する。
板部材３０は、図４に示すように、長手方向に延びる長穴７０を備えた長尺板状の部材が、その長手方向の２箇所において屈曲されてなり、水平をなす２つの部分が、所定の角度で傾斜する段差部３１を挟んで連接された形状をなす。板部材３０の長手方向において段差部３１の両側に位置する２つの水平部分のうち、短い方は枢支部３２とされ、円弧状に形成された枢支端部３２Ａの近傍に、枢支ピン３９を挿通させるピン孔３６が設けられている。一方、段差部３１の他側に位置する長い方は回動部３３とされ、同じく円弧状に形成された回動端部（反対端部）３３Ａ近傍の側部に、切欠３４が形成されて、長穴７０が板部材３０の外側に連通開放されている。枢支部３２と回動部３３の間に位置する段差部３１は、図５に示すように、上面視で、回動部３３から枢支部３２に向けてやや幅が細くなるように形成されるとともに、図６に示すように、正面視では、回動部３３から枢支部３２に向けて約１８度の上り勾配をなすように形成されている。
【００３２】
長穴７０は、図４および図５に示すように、段差部３１における枢支部３２寄りの位置から、回動部３３の先端部付近に亘るように延在している。切欠３４において、長穴７０が板部材３０の外側に連通開放されていることにより、回動部３３および段差部３１において長穴７０の前後に位置する板部材３０の両側部が、互いに離隔するように弾性変形可能となっている。また、長穴７０の開放端７０Ａ側の内側面には、掛止体４０の掛止脚部４０Ａの通過を規制可能で、かつ、上述のような板部材３０の弾性変形によって掛止脚部４０Ａの通過を許容可能な隆起部７１が形成されている。長穴７０の開放端７０Ａを画成する板部材３０の回動端部３３Ａは、ストッパ部３５として機能する。ストッパ部３５を含め、板部材３０の回動部３３における長穴７０の後側部から回動端部３３Ａにかけては、長穴７０縁部に沿ったリブ３７が設けられている。他方、長穴７０の非開放端７０Ｂは、長穴７０のその他の部分の幅よりも大きな直径を有する円弧状に形成されている。
【００３３】
続いて、上記のような扉装置の作用について、図７ないし図１０を参照しつつ説明する。
まず、扉３が閉じられた状態にある場合について、図７および図８を参照しつつ説明する。
扉３が閉じられて筐体１の開口２が塞がれている状態では、板部材３０は、上面視では、図７に示すように、扉３下縁のやや前寄りの位置において、扉３の表面とほぼ平行をなすように配設される。この状態において、掛止体４０は、長穴７０の回動部３３に形成された部分において、中央よりもやや段差部３１寄りの位置に係合される。なお、図面には表していないが、扉３の後面と筐体１前面との間には、両者間の隙間を塞いで開口２周縁から貯蔵室への空気の流出入を防止するパッキンが配設される。
【００３４】
他方、正面視では、図８に示すように、下ヒンジピン２５の周囲に設けられたピン側カラー５０の凸部５２と、扉３下縁の孔側カラー６０の凹部６４とが係合した状態となり、扉３は下降位置にある。この状態において、板部材３０は、枢支部３２と回動部３３が水平となる正規姿勢を保ちつつ、枢支部３２を扉３の下縁に、回動部３３を下部支持部材２０の上面に、それぞれ沿わせるように配設される。すなわち、支持部２０Ｂ上面の、扉３下縁からのシフト量Ｓ１は、板部材３０の高さ（枢支部３２の上面から回動部３３の下面までの間隔）とほぼ同じとなるように設定されている。また、板部材３０は、掛止脚部４０Ａの突出下端に係合保持されるため、回動部３３における板部材３０の上面と、掛止頭部４０Ｂの下面との間には、板部材３０が上下動可能な隙間Ｓ２が形成されている。Ｓ２は、後述するように、リフトヒンジによる扉３下縁の上昇量とほぼ同じとなるよう、若しくは上昇量よりも大きくなるように設定される。
【００３５】
次に、開扉動作に伴う水平方向の扉装置の作動について、図９を参照しつつ説明する。
上記の閉扉状態から、扉３を開放すべく下ヒンジピン２５を支点として回動すると、扉３の下縁に枢支された板部材３０の枢支部３２が扉３の回動に伴って右前方へと移動する結果、板部材３０全体がスライドしつつ回転し、掛止体４０が、長穴７０内を開放端７０Ａ側に向けて相対移動する。掛止体４０が、長穴７０の前記隆起部７１に達すると、掛止体４０の移動が規制されることで、扉３の回動も規制される。ここからさらに開扉方向への外力が加えられると、前述のように板部材３０の弾性変形によって隆起部７１同士が離隔し、掛止体４０が隆起部７１間を通過する。
【００３６】
本実施形態では、非開放端７０Ｂが、比較的大きな径を有する円弧状に形成されているため、板部材３０の弾性変形による応力集中を回避し、隆起部７１同士が離隔しやすくなっている。隆起部７１を通過した後は、扉３が回動方向にさらに付勢されたとしても、掛止体４０がストッパ部３５によって画成される開放端７０Ａに当接するため移動不能となり、扉３の開放限界位置が規定される。ここで、ストッパ部３５を含めた回動端部３３Ａには、リブ３７が形成されて強度が向上されているため、掛止体４０の当接によってストッパ部３５にかかる負荷を受け止めることができ、ストッパ部３５における変形や破損を回避することができる。また、掛止体４０が隆起部７１間を通過すると、板部材３０の弾性変形が回復して該隆起部７１によって掛止体４０の非開放端７０Ｂへの移動が規制されることで、図９に示すように、扉３を開放状態に保持することができる。
【００３７】
次に、開扉動作に伴う鉛直方向の扉装置の作動について、図１０を参照しつつ説明する。
扉３が開扉方向に回動されると、図１４Ａないし図１４Ｃについて説明した通り、下ヒンジピン２５の周囲に設けられたカム面５５およびカム面６５の作用により、扉３は上昇する。図１０のように扉３が限界位置まで開放された状態では、孔側カラー６０の凸部６２が、ピン側カラー５０の凸部５２の上に乗り上げた状態となり、ピン側カラーの凸部５２の突出量とほぼ等しい量（Ｓ２）だけ、扉３が上昇する。そして、扉３の上昇に伴い、扉３の下縁に枢支されている板部材３０もＳ２だけ上昇し、掛止脚部４０Ａの下端に係合されていた板部材３０の上面が、掛止頭部４０Ｂの下面に当接するようにされている。なお、閉扉動作においては、上昇状態で開放されていた扉３が、カム面５５および６５の作用によって下降することで、確実な閉扉が行われるが、扉３の下降に伴い、掛止脚部４０Ａの上端に係止されていた板部材３０も下降して、掛止脚部４０Ａの下端に係止されることで、板部材３０によって扉３の閉扉動作が妨げられないようにされている。
【００３８】
本実施形態によれば、次のような作用効果を得ることができる。
本実施形態では、扉３の下縁から鉛直方向に板部材３０の厚みとほぼ等しいＳ１だけシフトした位置に設けた下部支持部材２０に掛止体４０を立設し、板部材３０に段差部３１を設けたことで、板部材３０の両端部、すなわち枢支端部３２Ａと回動端部３３Ａを、扉３の下縁と下部支持部材２０の上面とに沿わせた形で配することができる。そして、掛止体４０の掛止脚部４０Ａが板部材３０の板厚よりも大きな突出長をもって板部材３０の長穴７０に挿通されるため、閉扉状態において、板部材３０の上面と掛止頭部４０Ｂの下面との間に、板部材３０を上下動可能な隙間Ｓ２が確保される。また、掛止体４０が掛止頭部４０Ｂを備えることにより、板部材３０が掛止体４０から抜け止めされつつ、板部材３０が、扉３の上下動に合わせて掛止脚部４０Ａの周囲を相対的に上下動可能としたことで、扉３の開閉動作に伴う上下動が板部材３０によって規制されることがなくなり、リフトヒンジ機構を備えた扉３においても、板部材３０による扉の開放限界位置を規定する構造が適用可能となる。また、板部材３０が段差を有することで、扉３の上下動に伴い、板部材３０が傾くこと等によって掛止頭部４０Ｂと板部材３０とが干渉する事態を回避できる。
【００３９】
また、本実施形態では、掛止体４０は、段差部３１を通過することがなく平板状に形成された回動部３３のみを移動する構成となっているため、掛止頭部４０Ｂが板部材３０に干渉することなく、長穴７０において掛止体４０を摺動させることができ、スムーズな扉の開閉と、容易で確実な閉扉動作が実現できる。
【００４０】
また、本実施形態では、長穴７０の非開放端７０Ｂが、比較的大きな径を有する円弧状に形成されているため、掛止体４０が隆起部７１を通過する際の板部材３０の弾性変形によって生じる応力が分散され、板部材３０の変形が起こりにくくなっている。また、隆起部７１間が離隔し易くなって掛止体４０が通過し易くなり、扉３の開閉がスムーズになって、掛止体４０が隆起部７１間を通過する際に発生する音も軽減される。
【００４１】
さらに、本実施形態では、隆起部７１を通過した掛止体が当接して扉３の開放限界位置を規定するストッパ部３５が、リブ３７により補強されているため、板部材３０の変形や破損を回避することができるようになっている。
【００４２】
＜その他の実施形態＞
本明細書によって開示される技術は、上記記述および図面によって説明した実施形態に限定されるものではなく、例えば次のような実施形態も技術的範囲に含まれる。
【００４３】
（１）板部材３０の異なる実施形態として、図１１に示されるように、板部材２３０は、長穴７０における内側面の複数箇所に設けられた隆起部７１Ａ，７１Ｂを備えていてもよい。このようにすれば、板部材２３０によって、複数の所定の角度に扉３を開放させた状態で保持することができる。
（２）リフトヒンジ機構を有する下部支持部材２０に、扉３の開放限界位置を規定する機構を配設した例について説明したが、これに限定されるものではない。上部支持部材１０のみに、開放限界位置を規定する機構を配設してもよく、上部支持部材１０および下部支持部材２０の両方に配設してもよい。また、下部支持部材２０に加えて、上部支持部材１０にも、リフトヒンジ機構を具備させてもよい。
【符号の説明】
【００４４】
１…筐体、２…開口、３…扉、１０…上部支持部材、１５…上ヒンジピン、２０…下部支持部材、２５…下ヒンジピン、３０…板部材、３１…段差部、３２Ａ…枢支端部、３３Ａ…回動端部（反対端部）、３４…切欠、３５…ストッパ部、３９…枢支ピン、４０…掛止体、４０Ａ…掛止脚部、４０Ｂ…掛止頭部、５０…ピン側カラー（リフトヒンジ機構）、６０…孔側カラー（リフトヒンジ機構）、７０…長穴、７０Ａ…開放端、７０Ｂ…非開放端、７１…隆起部
【図１】
2017040462.tif 000003
【図２】
2017040462.tif 000004
【図３】
2017040462.tif 000005
【図４】
2017040462.tif 000006
【図５】
2017040462.tif 000007
【図６】
2017040462.tif 000008
【図７】
2017040462.tif 000009
【図８】
2017040462.tif 000010
【図９】
2017040462.tif 000011
【図１０】
2017040462.tif 000012
【図１１】
2017040462.tif 000013
【図１２】
2017040462.tif 000014
【図１３】
2017040462.tif 000015
【図１４Ａ】
2017040462.tif 000016
【図１４Ｂ】
2017040462.tif 000017
【図１４Ｃ】
2017040462.tif 000018